(57)【特許請求の範囲】
【請求項１】
再生手段（１６）と、信号処理手段（１８）と、検出手段（２１）と、制御手段（１７）を備え、再生データの処理を行うカラオケ装置であって、
再生データは、伴奏用オーディオデータと、サブピクチャデータを含み、
サブピクチャデータは、ディスプレー表示単位であるフレームにおけるピクセル毎に、文字、縁取り、背景の何れに割当てられているかを示す情報を含み、
再生手段（１６）は、制御手段（１７）の制御に基づいて再生データを読み出し、
信号処理手段（１８）は、再生手段（１６）が読み出す再生データの伴奏用オーディオデータに基づいてオーディオ信号を生成するとともに、当該再生データのサブピクチャデータに基づいて、文字と、縁取りと、背景を示すピクセルに色を割当てて字幕信号を生成し、
検出手段（２１）は、生成される字幕信号において、歌詞の進行方向に色の相互に異なる第１、第２、及び第３の色のピクセルが連続している第１ピクセル列（ただし、第２の色のピクセルは２個以上連続していてもよい。）が存在するか否かを検出し、第１ピクセル列が存在する場合には、歌い込み部であると検出し、第１ピクセル列が存在しない場合には、非歌い込み部であると検出し、
制御手段（１７）は、検出手段（２１）の検出結果に基づき、非歌い込み部は適宜飛ばして、歌い込み部の再生データを再生手段（１６）に読み出させる
カラオケ装置。
【請求項２】
再生手段（１６）と、信号処理手段（１８）と、検出手段（２１）と、制御手段（１７）を備え、再生データの処理を行うカラオケ装置であって、
再生データは、伴奏用オーディオデータと、サブピクチャデータを含み、
サブピクチャデータは、ディスプレー表示単位であるフレームにおけるピクセル毎に、歌い済み歌詞と、歌い予定歌詞と、背景の何れに割当てられているかを示す情報を含み、
再生手段（１６）は、制御手段（１７）の制御に基づいて再生データを読み出し、
信号処理手段（１８）は、再生手段（１６）が読み出す再生データの伴奏用オーディオデータに基づいてオーディオ信号を生成するとともに、当該再生データのサブピクチャデータに基づいて、歌い済み歌詞と、歌い予定歌詞と、背景を示すピクセルに色を割当てて字幕信号を生成し、
検出手段（２１）は、生成される字幕信号において、歌詞の進行方向に色の相互に異なる第１、第２、及び第３の色のピクセルが連続している第２ピクセル列（ただし、第２の色のピクセルは２個以上連続していてもよい。）が存在するか否かを検出し、第２ピクセル列が存在する場合には、歌い込み部であると検出し、第２ピクセル列が存在しない場合には、非歌い込み部であると検出し、
制御手段（１７）は、検出手段（２１）の検出結果に基づき、非歌い込み部は適宜飛ばして、歌い込み部の再生データを再生手段（１６）に読み出させる
カラオケ装置。
【請求項３】
制御手段（１７）は、歌い込み部から非歌い込み部へ切替わった後、所定時間経過するまで非歌い込み部の飛ばしは保留し、所定時間経過後、非歌い込み部の飛ばしを実施する
請求項１又は２に記載のカラオケ装置。
【請求項４】
制御手段（１７）は、非歌い込み部の飛ばし中、非歌い込み部から歌い込み部へ切替わると、その切替わり位置より再生時間換算で所定時間前の非歌い込み部へ戻り、その位置より再生データを再生手段（１６）に読み出させる
請求項１〜３のいずれかに記載のカラオケ装置。
【発明の詳細な説明】
【０００１】
【発明の属する技術分野】
この発明は、ＤＶＤ（ＤＩＧＩＴＡＬ  ＶＥＲＳＡＴＩＬＥ  ＤＩＳＣ）等を利用してカラオケ曲を再生するカラオケ装置に関するものである。
【０００２】
【従来の技術】
従来のカラオケ装置は、手動による早送り及び早戻しの機能は装備するものの、カラオケ曲の自動的な再生では、カラオケ曲の最初から最後へ単純に再生されるだけであった。
【０００３】
【発明が解決しようとする課題】
カラオケをグループ等で利用する場合、各カラオケ曲を最初から最後まで自動再生することにすると、順番待ちの時間が長くなる。また、カラオケ装置の使用料金は、通常、歌った曲数ではなく、利用時間で設定されているため、カラオケの利用者は、歌わない部分が長く続くときは、料金上、損と感じることがある。
【０００４】
この発明の目的は、上述の問題点を克服するカラオケ装置を提供することである。
【０００５】
【課題を解決するための手段】
この発明のカラオケ装置（１５）によれば、カラオケ曲の再生データから再生部分が非歌い込み部か歌い込み部かを検出し、非歌い込み部の再生部分は適宜、飛ばして、歌い込み部の再生部分を再生するようになっている。
【０００６】
カラオケ曲の再生データは、ディジタルデータ記録媒体（１０）、特にＤＶＤ（１０）等の光ディスクからのデータ読み出しにより得られるが、通信カラオケのように、ＩＳＤＮ等の公衆電話回線やケーブルテレビのケーブル等を介して家庭等のカラオケ装置（１５）へ送られて来る場合も含む。
【０００７】
「歌い込み部」及び「非歌い込み部」とは、カラオケの歌い手がそのカラオケ曲において歌う部分及び歌わない部分をそれぞれ意味する。「非歌い込み部の再生部分は適宜、飛ばして」の「適宜」とは、非歌い込み部を完全に飛ばす場合だけでなく、非歌い込み部を部分的に飛ばす場合も含む趣旨である。また、所定条件下、例えば、「歌い込み部」と「歌い込み部」との間の「非歌い込み部」の長さが再生時間換算で短いときは、その「非歌い込み部」は飛ばさないことも、「適宜」に含めるものとする。
【０００８】
こうして、非歌い込み部の再生は適宜、飛ばされつつ、歌い込み部を中心に再生されることになるので、歌を歌い入れる歌い手の気持ちを満たしつつ、一定時間内に再生するカラオケ曲の数を増やして、待機時間を減らすことができる。
【０００９】
この発明のカラオケ装置（１５）によれば、カラオケ曲の再生データは、伴奏用オーディオデータの他に、歌詞をディスプレーに字幕として表示するサブピクチャデータを含み、サブピクチャデータからは、ディスプレーの表示単位としてのフレームについてそのフレームにおける字幕の歌詞中の歌詞現在個所の有無が検出できるようになっている。再生部分が非歌い込み部か歌い込み部かは、各フレームにおける字幕の歌詞中の歌詞現在個所の有無をサブピクチャデータより調べることにより、検出するようになっている。
【００１０】
通常のカラオケ曲の再生では、オーディオの再生と共に、ディスプレーに歌詞の字幕を再生する。そして、歌い手が各時点での歌い個所としての歌詞現在個所が分かるように、字幕に表示中の歌詞において歌詞現在個所を表示するようになっている。したがって、フレーム（ディスプレーの１画面に相当し、トップとボトムの２個のフィールドから成る。）における字幕中に歌詞現在個所が無ければ及び有れば、そのフレームと再生時刻の同じ再生部分はそれぞれ非歌い込み部及び歌い込み部と判断される。こうして、歌詞現在個所の無いフレームに対応する再生部分の再生は適宜、飛ばされる。
【００１１】
この発明のカラオケ装置（１５）によれば、サブピクチャデータは、各フレームにおける字幕表示部位の各ピクセル（１１）を文字、縁取り、及び背景のいずれに割り当てるかの情報を含み、歌詞現在個所は歌詞中の文字の縁取りで歌い手に知らせるようにしてある。各フレームにおける歌詞現在個所の有無は、字幕における歌詞現在個所の進み方向へ、色の相互に異なる第１、第２、及び第３の色のピクセル（ただし、第２の色のピクセルは２個以上連続していてもよい。）の連続するピクセル列（１２）の有無から判別する。
【００１２】
この発明のカラオケ装置（１５）によれは、サブピクチャデータは、各フレームにおけるディスプレーの字幕表示部位の各ピクセル（１１）について、歌い済み歌詞部を表わす第１の色と歌い予定歌詞部を表わす第２の色とのいずれに割り当てるかの情報を含み、歌詞現在個所は、第１の色と第２の色との境で歌い手に知らせるようにしてある。各フレームにおける歌詞現在個所の有無は、字幕における歌詞現在個所の進み方向へ、色の相互に異なる第１、第２、及び第３の色のピクセル（ただし、第２の色のピクセルは２個以上連続していてもよい。）の連続するピクセル列（１２）の有無から判別する。
【００１３】
こうして、フレームにおける字幕中の歌い込み部の有無を、ピクセル列（１２）がフレームの字幕表示部位に存在するか否かにより円滑に検出できる。
【００１４】
この発明のカラオケ装置（１５）によれば、再生データはお手本ボーカル再生用のお手本ボーカルデータを含み、再生部分が非歌い込み部か歌い込み部かは、再生部分についてお手本ボーカルの音声の振幅レベルが所定値以上であるか否かから検出する。
【００１５】
お手本ボーカルの再生音声の振幅レベルが所定値以上及び未満は、それぞれお手本ボーカルが歌われているとき及びいないときに対応し、再生部分はそれぞれ歌い込み部及び非歌い込み部となっている。こうして、各再生部分が歌い込み部か非歌い込み部かを、各再生部分の再生時にお手本ボーカルの再生音声の振幅レベルが所定値以上であるか否かにより円滑に検出できる。
【００１６】
この発明のカラオケ装置（１５）によれば、フレームがディスプレーの表示単位として定義され、セルが、複数個のフレームのデータ分を１まとめにした単位として定義される。再生データは、セルと各セルがボーカルの吹き込まれているデータに係るか吹き込まれていないデータに係るかを示すセルタイプとを含む。再生部分が非歌い込み部か歌い込み部かは、その再生部分を復調する元になったセルについてのセルタイプから検出する。
【００１７】
こうして、各セルに対応する再生部分が、お手本ボーカル等の歌い声の吹き込まれているものか否かは、各セルのセルタイプより円滑に判別できる。
【００１８】
この発明のカラオケ装置（１５）によれば、歌い込み部から非歌い込み部へ切替わった後、所定時間の経過するまで非歌い込み部の飛ばしは保留し、所定時間の経過後から非歌い込み部の飛ばしを実施する。
【００１９】
字幕の頁の切替等により、ディスプレーにおける字幕の表示が一時的に途切れることがある。また、歌い込み部の間の短い非歌い込み部では、歌い手や待ち手にとり待ち時間としてさほど苦にならず、逆に、そのような短い非歌い込み部が飛ばされることになると、歌い手の気持ちや周囲の雰囲気が乱れることがある。これに対して、歌い込み部の間に入り込む非歌い込み部が所定時間、例えば１０秒以内のときは、非歌い込み部を飛ばすのは中止することにより、非歌い込み部では一律に飛ばすことの弊害を排除できる。
【００２０】
この発明のカラオケ装置（１５）によれば、非歌い込み部の再生を飛ばし中、非歌い込み部から歌い込み部へ切替わると、その切替わり位置より再生時間換算で所定時間前の非歌い込み部の再生位置へ戻り、その再生位置より再生部分の再生を開始するようになっている。
【００２１】
歌い込み部の再生が終了し、次の非歌い込み部の再生を飛ばして、そのまた次の歌い込み部が最初から突然、再生されると、歌い手にとり歌う勘の狂うことがある。次の再生開始を、歌い込み部の最初からではなく、歌い込み部の最初より再生時間換算で所定時間前の非歌い込み部における再生位置から再生することにより、この問題に対処できる。
【００２２】
【発明の実施の形態】
以下、発明の実施の形態について図面を参照して説明する。
図１はＤＶＤ１０に記録されているデータの構造図である。カラオケ用のＤＶＤ１０には、複数のカラオケ曲のデータが記録され、各カラオケ曲は、伴奏を再生するためのオーディオデータ、ディスプレーに背景としての映像を再生するためのビデオデータ、及びディスプレーに歌詞を字幕として再生するための字幕ピクチャデータより成る。カラオケ用のＤＶＤ１０のデータ構造では、１個のチャプターのデータ、すなわち１個のカラオケ曲のデータは、複数個のセルで記録される。１個のセルについてのデータは幾つかのフレーム（ディスプレーの１画面に相当し、トップとボトムの２個のフィールドから成る。）についてのデータが集まったものである。各フレームについての再生データは、オーディオ、ビデオ、及び字幕ピクチャの種類ごとにオーディオパック、ビデオパック、及び字幕ピクチャパックに分けられて記録されている。同種のパックを連結してオーディオデータ、ビデオデータ、及び字幕ピクチャデータを抽出し、それらに基づいてオーディオストリーム、ビデオストリーム、字幕ピクチャストリームを生成して、再生を行うようになっている。さらに、各セルのタイプ情報がセルタイプとして定義され、セルと同様に、ＤＶＤ１０に記録されている。セルタイプには、ボーカル（そのセルはお手本ボーカルであることを意味する。）や間奏等があり、セルタイプがボーカルであるセルから復調されるフレームは歌い込み部になり、セルタイプが間奏であるセルから復調されるフレームは非歌い込み部となる。
【００２３】
字幕ピクチャデータは、複数個のユニットから構成され、各ユニットは、ピクセルデータ、及び複数個の（表示制御）シーケンスを含んでいる。ピクセルデータは、ピクセル上に字幕を出力するに当たりどの位置のピクセルにどの役割を割り当てるかの情報を含む。字幕ピクチャの役割として、例えば、背景、パターン、色１、及び色２の４個の役割をもたせることができる。例えば文字やその縁取りに対して色１か色２を割り当て、（表示制御）シーケンスの所定命令で色１及び色２に所定の色を指定することができる。各（表示制御）シーケンスは、そのシーケンスの実行時刻、詳しくはユニットの含んでいるパックのパケット（各パックは、ヘッダと１以上のパケットとを含み、各パケットは、さらに、そのヘッダとビデオ、オーディオ、及び字幕ピクチャのデータ等を含む。）に記載されている時刻からの相対時間換算の実行は時刻とともに、字幕ピクチャデータのピクセルの表示に関する複数個の命令を有している。命令の例として、色１及び色２に割り当てる色を指定する命令、ピクセルデータに基づく表示を開始させる命令、色１及び色２の色を変更する命令等がある。
【００２４】
図２及び図３は歌詞現在個所を縁取りで示すそれぞれ横書き及び縦書きの字幕例をピクセル表示で示している。歌詞は例示としてＫＥ（「ＫＥＮＷＯＯＤ」の最初の２文字）としている。各升目はピクセル１１に対応し、ピクセル１１の内、色１ピクセル１１ａは、色１を割り当てられて歌詞の各文字を表示し、色２ピクセル１１ｂは、色２を割り当てられて縁取り（陰影とも言う。）を表示し、背景ピクセル１１ｃは、背景を割り当てられて、この場合は透かしとなって字幕の下の映像を透過している。色２ピクセル１１ｂは、縦方向及び横方向へ色１ピクセル１１ａに隣接している。色２ピクセル１１ｂにより縁取られている色１ピクセル１１ａが、現在の歌詞個所としての歌詞現在個所を示す。１２は文字の並び方向（横書きでは横方向、縦書きでは縦方向）へ背景、色２、色１のピクセルが１個ずつ順番に並んだピクセル列を示す。このように、色の相互に異なる３個の色のピクセル１１（ただし、２番目の色のピクセルは２個以上連続していてもよい。）が連続して並ぶピクセル列１２は歌詞現在個所のみに出現し、歌詞現在個所がフレームにあると言うことは、そのフレームは歌い込み部に含まれることを意味し、こうして、歌詞現在個所がフレームにあるか否かによりそのフレームが歌い込み部か非歌い込み部かを検出できる。
【００２５】
図４及び図５は歌詞現在個所を歌い済み部と非歌い済み部との色分けで示すそれぞれ横書き及び縦書きの字幕例をピクセル表示で示している。図２及び図３との相違点のみを説明する。ピクセル１１の内、色１ピクセル１１ａは、色１を割り当てられて歌詞の非歌い済み部を表示し、色２ピクセル１１ｂは、色２を割り当てられて非歌い済み部を表示している。カラオケ曲の進行に伴い、歌詞は横書きの場合は左から右へ、縦書きの場合は上から下へ、非歌い済み部の色１ピクセル１１ａから歌い済み部の色２ピクセル１１ｂへ変化し、色１ピクセル１１ａと色２ピクセル１１ｂとの境界線の右又は下が歌詞現在個所を示す。１２は文字の並び方向（横書きでは横方向、縦書きでは縦方向）に背景、色２、色１のピクセルが順番に並んだピクセル列（図５では、色２ピクセル１１ｂはピクセル列１２内に２個含まれる。）を示す。このように、色の相互に異なる３個の色のピクセル１１（ただし、２番目の色のピクセルは２個以上連続していてもよい。）が連続して並ぶピクセル列１２は歌詞現在個所のみに出現し、歌詞現在個所がフレームにあると言うことは、そのフレームは歌い込み部に含まれることを意味し、こうして、歌詞現在個所がフレームにあるか否かによりそのフレームが歌い込み部か非歌い込み部かを検出できる。
【００２６】
図６はＤＶＤ用カラオケ装置１５の主要部ブロック図である。ＤＶＤメカユニット１６は、ＤＶＤ１０をセットされ、制御部１７からの制御信号によりＤＶＤ１０の再生、停止等のＤＶＤ１０についての処理を行い、再生時では、ＤＶＤ１０からデータを読み出す。信号処理部１８は、ＤＶＤメカユニット１６がＤＶＤ１０から読み出したデータを復調して、オーディオストリーム、ビデオストリーム、及び字幕ピクチャストリームを生成する。ビデオストリーム、及び字幕ピクチャストリームは、加算器１９において合成されて、ディスプレー（図示せず）に出力される。オーディオストリームは、加算器２０において、マイクロホン（図示せず）からの歌い手の声と混合（ミックス）されて、スピーカ（図示せず）へ出力される。非歌い込み部・歌い込み部検出部２１は、信号処理部１８からの字幕ピクチャデータより非歌い込み部を検出し、検出結果を制御部１７へ送る。制御部１７は、非歌い込み部・歌い込み部検出部２１より非歌い込み部の検出結果が来ると、ＤＶＤメカユニット１６におけるＤＶＤ１０を適宜、早送り等の飛ばしを実施する。
【００２７】
図７はＤＶＤ用カラオケ装置１５によるカラオケ用ＤＶＤ１０の再生処理のフローチャートである。Ｓ３０の前段階として、ＤＶＤ１０はすでに再生状態になっている。Ｓ３０では、字幕としてのサブピクチャを読み出す。Ｓ３１では、１フレーム範囲分のサブピクチャにおいて、歌詞現在個所が有るかないかを判定し、判定がＹｅｓであれば、Ｓ４０へ進み、Ｎｏであれば、Ｓ３２へ進む。歌詞現在個所の有無は前述の図２〜図５のようにして調べる。Ｓ３２では、Ｓ３１の判断対象になったフレームに後に連続する各フレームについて、その各フレーム分のサブピクチャが歌詞現在個所をもたないために、ディスプレーにサブピクチャが表示されない状態が所定時間、例えば１０秒、継続するか否かを判定し、Ｙｅｓとなれば、Ｓ３４へ進み、Ｎｏとなれば、Ｓ３０へ戻る。Ｓ３４では、ＤＶＤ１０の早送りを開始する。この早送りによりＤＶＤ１０の非歌い込み部は飛ばされることになる。Ｓ４０では、ＤＶＤ１０が早送り中か否かを判定し、Ｙｅｓであれば、すなわちＤＶＤ１０の飛ばし中であれば、Ｓ４１へ進み、Ｎｏであれば、Ｓ３０へ戻る。Ｓ４１では、ＤＶＤ１０の早送りを中止し、再生時間換算で数秒前まで、ＤＶＤ１０の再生データ位置を逆戻りする。これにより、ＤＶＤ１０のカラオケ曲の再生位置は、歌い込み部より少し前へ戻る。Ｓ４２では、ＤＶＤ１０の再生を再開する。歌い手は、歌い込み部の最初から少し前よりスピーカからは再生音、及びディスプレーからは再生映像を見ることができる。
【図面の簡単な説明】
【図１】ＤＶＤに記録されているデータの構造図である。
【図２】歌詞現在個所を縁取りで示す横書きの字幕例をピクセル表示で示す図である。
【図３】歌詞現在個所を縁取りで示す縦書きの字幕例をピクセル表示で示す図である。
【図４】歌詞現在個所を歌い済み部と非歌い済み部との色分けで示す横書きの字幕例をピクセル表示で示す図である。
【図５】歌詞現在個所を歌い済み部と非歌い済み部との色分けで示す縦書きの字幕例をピクセル表示で示す図である。
【図６】ＤＶＤ用カラオケ装置の主要部ブロック図である。
【図７】ＤＶＤ用カラオケ装置によるカラオケ用ＤＶＤの再生処理のフローチャートである。
【符号の説明】
１０    ＤＶＤ（ディジタルデータ記録媒体）
１１    ピクセル
１１ａ    文字用ピクセル
１１ｂ    陰影用ピクセル
１１ｃ    背景用ピクセル
１２    ピクセル列
１５    ＤＶＤ用カラオケ装置（カラオケ装置）
【図１】
0003593272.tif 000002
【図２】
0003593272.tif 000003
【図３】
0003593272.tif 000004
【図４】
0003593272.tif 000005
【図５】
0003593272.tif 000006
【図６】
0003593272.tif 000007
【図７】
0003593272.tif 000008